(57)【特許請求の範囲】
【請求項１】
人の存在、動きまたは環境に関する情報を感知するセンサを備える第１のシステムと、前記第１のシステムと接続され、表示機器を備える第２のシステムと、前記第２のシステムと接続されるセンタサーバと、を備える通信システムであって、
前記センタサーバは、
前記第２のシステムが備える表示機器の表示機器種別および、当該表示機器に対応可能で、前記第１のシステムが備えるセンサのセンサ種別ごとに、当該表示機器に表示するための表示情報を、当該センサが感知した属性情報から生成するプログラムを記憶しており、
前記第１のシステムは、
センサと、
前記センサのうち反応した対象センサの対象センサ種別と、前記対象センサの属性情報とを含む対象センサ情報を収集するセンサ情報収集手段と、
前記対象センサ情報から送信情報を生成する送信情報生成手段と、
前記送信情報を、前記第２のシステムに送信する情報送信手段と、を備え、
前記第２のシステムは、
保有表示機器と、
当該第２のシステムが保有するプログラムと、当該プログラムが生成する表示情報に対応する表示機器種別およびセンサ種別を対応づけた保有プログラム対応データが記憶された保有プログラム対応データ記憶手段と、
前記第１のシステムから前記送信情報を受信するとともに、前記センタサーバからプログラムをダウンロードする情報送受信手段と、
前記送信情報から前記対象センサ情報に含まれる対象センサ種別を抽出するとともに、前記保有プログラム対応データにおいて、前記保有表示機器の表示機器種別および当該対象センサ種別に対応する対象プログラムを検索し、対象プログラムがない場合、前記センタサーバから前記情報送受信手段を介して前記対象プログラムを取得する送信情報分割手段と、
前記送信情報分割手段から取得した前記対象プログラムを使用して、前記送信情報を前記表示情報に変換する送信情報変換手段と、
前記送信情報変換手段によって変換された表示情報を、前記保有表示機器に送信する表示情報送信手段とを備え、
前記送信情報に複数の対象センサ種別が含まれている場合、
前記対象プログラムは、前記保有プログラム対応データにおいて、前記保有表示機器の表示機器種別および当該複数の対象センサ種別に対応するプログラムであり、
前記第２のシステムは、
前記保有表示機器の表示機器種別と、当該保有表示機器が対応不可なセンサ種別とが対応づけられた表示機器情報データが記憶された表示機器情報データ記憶手段をさらに備え、
前記送信情報分割手段は、前記保有プログラム対応データにおいて、前記保有表示機器の表示機器種別および、前記送信情報に含まれる複数の対象センサ種別のうち前記対応不可なセンサ種別以外のセンサ種別に対応する対象プログラムを検索する
ことを特徴とする通信システム。
【請求項２】
前記プログラムは、さらに前記センサの設置場所および優先度のいずれかを含む在宅情報も考慮して表示情報を生成し、
前記送信情報には、前記対象センサの在宅情報が含まれ、
前記第１のシステムは、さらに、
前記センサの在宅情報を記憶する在宅情報記憶手段をさらに備え、
前記送信情報生成手段は、前記在宅情報記憶手段から前記対象センサの在宅情報を抽出し、前記対象センサ情報と、抽出した前記在宅情報と、から前記送信情報を生成する
ことを特徴とする請求項１に記載の通信システム。
【請求項３】
前記情報送受信手段は、前記保有表示機器の表示機器種別および前記対象センサ種別を前記センタサーバに送信し、
前記センタサーバは、前記保有表示機器の表示機器種別および前記対象センサ種別に対応する対象プログラムを前記第２のシステムに送信する
ことを特徴とする請求項１に記載の通信システム。
【請求項４】
人の存在、動きまたは環境に関する情報を感知するセンサを備える第１のシステムと、前記第１のシステムと接続され、保有表示機器を備える第２のシステムと、前記第２のシステムと接続されるセンタサーバと、を備える通信システムに用いられる通信方法であって、
センタサーバが、前記第２のシステムが備える表示機器の表示機器種別および、当該表示機器に対応可能で、前記第１のシステムが備えるセンサのセンサ種別ごとに、当該表示機器に表示するための表示情報を、当該センサが感知した属性情報から生成するプログラムを記憶するステップと、
第１のシステムが、前記センサのうち反応した対象センサの対象センサ種別と、前記対象センサの属性情報とを含む対象センサ情報を収集するステップと、
前記第１のシステムが、前記対象センサ情報から送信情報を生成するステップと、
前記第１のシステムが、前記送信情報を、前記第２のシステムに送信するステップと、
第２のシステムが、前記第１のシステムから前記送信情報を受信するステップと、
前記第２のシステムが、前記送信情報から前記対象センサ情報に含まれる対象センサ種別を抽出するとともに、当該第２のシステムが保有するプログラムと、当該プログラムが生成する表示情報に対応する表示機器種別およびセンサ種別を対応づけた保有プログラム対応データにおいて、前記保有表示機器の表示機器種別および当該対象センサ種別に対応する対象プログラムを検索するステップと、
前記第２のシステムが、前記対象プログラムがない場合、前記センタサーバから前記対象プログラムを取得するステップと、
前記第２のシステムが、取得した前記対象プログラムを使用して、前記送信情報を前記表示情報に変換するステップと、
前記第２のシステムが、変換された前記表示情報を、前記保有表示機器に送信するステップとを備え、
前記送信情報に複数の対象センサ種別が含まれている場合、
前記対象プログラムは、前記保有プログラム対応データにおいて、前記保有表示機器の表示機器種別および当該複数の対象センサ種別に対応するプログラムであって、前記保有プログラム対応データにおいて、前記保有表示機器の表示機器種別および、前記送信情報に含まれる複数の対象センサ種別のうち前記対応不可なセンサ種別以外のセンサ種別に対応する対象プログラムである
ことを特徴とする通信方法。
【請求項５】
前記プログラムは、さらに前記センサの設置場所および優先度のいずれかを含む在宅情報も考慮して表示情報を生成し、
前記送信情報には、前記対象センサの在宅情報が含まれ、
前記第１のシステムが、前記在宅情報記憶手段から前記対象センサの在宅情報を抽出し、前記対象センサ情報と、抽出した前記在宅情報と、から前記送信情報を生成するステップ
をさらに備えることを特徴とする請求項４に記載の通信方法。
【請求項６】
前記第２のシステムが、前記保有表示機器の表示機器種別および前記対象センサ種別を前記センタサーバに送信するステップと、
前記センタサーバが、前記保有表示機器の表示機器種別および前記対象センサ種別に対応する対象プログラムを前記第２のシステムに送信するステップ
をさらに備えることを特徴とする請求項４に記載の通信方法。
【発明の詳細な説明】
【技術分野】
【０００１】
本発明は、人の存在、動きまたは環境に関する情報を感知するセンサを備える第１のシステムと、第１のシステムと接続され表示機器を備える第２のシステムと、第２のシステムと接続されるセンタサーバと、を備える通信システムおよびこの通信システムにおける通信方法に関する。
【背景技術】
【０００２】
従来の通信システムを使用する場合、例えば電話をかける場合、電話にでた相手は、互いに会話することによって、人の存在を直接的に感じる。
【０００３】
この場合、電話にでた相手は、直前まで行なっていた思考を中断させて応対するので、電話にでる直前まで実行していた作業が中断されるという問題がある。
【０００４】
相手の思考を中断させないようにするには、電話の代わりに、電子メールを使用すれば良い。電子メールは、相手の都合が良いときに読むことができるので、相手の思考を中断することがない。
【０００５】
しかし、電子メールは、リアルタイム性に欠けるので、相手がそこに在席しているとか、存在感等をリアルタイムで抱くことができないという問題がある。
【０００６】
そこで、相手の存在情報を知る場合に、人の思考が中断されず、また、相手の存在感をリアルタイムで抱くことができ、しかも、相手の存在情報を知る場合に、人の手を煩わすことがないつながり感を伝える方法がある（例えば、特許文献１参照。）。
【０００７】
この特許文献１に記載の方法では、人の存在、動き、または環境に関する情報をセンサが検出し、センサ情報を出力し、相手装置との間で上記センサ情報を送受信する通信端末が用いられる。この通信端末は、センサが取得したセンサ情報を、通信網に送信する送信部と、上記通信網を介して、上記相手装置が送信した上記センサ情報を受信する受信部と、上記受信部が受信した上記センサ情報に応じた動作を実行する動作実行部と、を有する。これにより遠隔地の人の動きまたは環境に関する情報に応じた動作を、上記動作実行部が実行することによって、上記遠隔地の人の動きを半明示的に伝達する。
【０００８】
この特許文献１に記載の方法では、例えば、見守られるエンドユーザ宅にセンサが設置され、見守るエンドユーザ宅に表示機器が設置される。見守るエンドユーザ宅においては、見守られるエンドユーザ宅からセンサの情報を取得する。見守るエンドユーザ宅では、所定のプログラムで、取得したセンサ情報から、表示機器に表示するための表示情報を生成する。
【先行技術文献】
【特許文献】
【０００９】
【特許文献１】特開２００２−３１４７０７号公報
【発明の概要】
【発明が解決しようとする課題】
【００１０】
ここで、特許文献１に記載の方法では、見守るエンドユーザ宅において、センサ情報を表示情報に変換するので、そのプログラムは、見守るエンドユーザ宅で保有している必要がある。しかし、見守られるエンドユーザ宅での環境の変化や、技術の進歩等に伴い、見守られるエンドユーザ宅に設置されるセンサ種別は適宜変更される場合がある。
【００１１】
特許文献１に記載の方法では、見守られるエンドユーザ宅に設置されるセンサ種別が変更されると、見守るエンドユーザ宅において表示機器にそのセンサ情報を表示することができない場合が考えられる。
【００１２】
これに対応する方法として、見守るエンドユーザ宅において、常に全てのセンサに対応するプログラムを保有することも考えられる。しかしこの方法では、センサの数は無限にあり、現実的には実現することはできない。また新たなセンサ種別が生じた場合に対応することができない。
【００１３】
従って本発明の目的は、センサを備える第１のシステムと、表示機器を備える第２のシステムを備え、センサの属性情報を表示機器に表示するプログラムを、第２のシステムに適切に配信する通信システムおよび通信方法を提供することである。
【課題を解決するための手段】
【００１４】
上記課題を解決するために、本発明の第１の特徴は、人の存在、動きまたは環境に関する情報を感知するセンサを備える第１のシステムと、第１のシステムと接続され、表示機器を備える第２のシステムと、第２のシステムと接続されるセンタサーバと、を備える通信システムに関する。即ち本発明の第１の特徴に係るセンタサーバは、第２のシステムが備える表示機器の表示機器種別および、当該表示機器に対応可能で、第１のシステムが備えるセンサのセンサ種別ごとに、当該表示機器に表示するための表示情報を、当該センサが感知した属性情報から生成するプログラムを記憶している。本発明の第１の特徴に係る第１のシステムは、センサと、センサのうち反応した対象センサの対象センサ種別と、対象センサの属性情報とを含む対象センサ情報を収集するセンサ情報収集手段と、対象センサ情報から送信情報を生成する送信情報生成手段と、送信情報を、第２のシステムに送信する情報送信手段と、を備える。本発明の第１の特徴に係る第２のシステムは、保有表示機器と、第２のシステムが保有するプログラムと、当該プログラムが生成する表示情報に対応する表示機器種別およびセンサ種別を対応づけた保有プログラム対応データが記憶された保有プログラム対応データ記憶手段と、第１のシステムから送信情報を受信するとともに、センタサーバからプログラムをダウンロードする情報送受信手段と、送信情報から対象センサ情報に含まれる対象センサ種別を抽出するとともに、保有プログラム対応データにおいて、保有表示機器の表示機器種別および当該対象センサ種別に対応する対象プログラムを検索し、対象プログラムがない場合、センタサーバから情報送受信手段を介して対象プログラムを取得する送信情報分割手段と、送信情報分割手段から取得した対象プログラムを使用して、送信情報を表示情報に変換する送信情報変換手段と、送信情報変換手段によって変換された表示情報を、保有表示機器に送信する表示情報送信手段とを備える。ここで、送信情報に複数の対象センサ種別が含まれている場合、対象プログラムは、保有プログラム対応データにおいて、保有表示機器の表示機器種別および当該複数の対象センサ種別に対応するプログラムである。第２のシステムは、保有表示機器の表示機器種別と、当該保有表示機器が対応不可なセンサ種別とが対応づけられた表示機器情報データが記憶された表示機器情報データ記憶手段をさらに備え、送信情報分割手段は、保有プログラム対応データにおいて、保有表示機器の表示機器種別および、送信情報に含まれる複数の対象センサ種別のうち対応不可なセンサ種別以外のセンサ種別に対応する対象プログラムを検索する。
【００１５】
ここで、プログラムは、さらにセンサの設置場所および優先度のいずれかを含む在宅情報も考慮して表示情報を生成し、送信情報には、対象センサの在宅情報が含まれても良い。この場合第１のシステムは、さらに、センサの在宅情報を記憶する在宅情報記憶手段をさらに備え、記送信情報生成手段は、在宅情報記憶手段から対象センサの在宅情報を抽出し、対象センサ情報と、抽出した在宅情報と、から送信情報を生成する。
【００１６】
また、情報送受信手段は、保有表示機器の表示機器種別および対象センサ種別をセンタサーバに送信し、センタサーバは、保有表示機器の表示機器種別および対象センサ種別に対応する対象プログラムを第２のシステムに送信することが好ましい。
【００１９】
本発明の第２の特徴は、人の存在、動きまたは環境に関する情報を感知するセンサを備える第１のシステムと、第１のシステムと接続され、保有表示機器を備える第２のシステムと、第２のシステムと接続されるセンタサーバと、を備える通信システムに用いられる通信方法に関する。即ち本発明の第２の特徴に係る通信方法は、センタサーバが、第２のシステムが備える表示機器の表示機器種別および、当該表示機器に対応可能で、第１のシステムが備えるセンサのセンサ種別ごとに、当該表示機器に表示するための表示情報を、当該センサが感知した属性情報から生成するプログラムを記憶するステップと、第１のシステムが、センサのうち反応した対象センサの対象センサ種別と、対象センサの属性情報とを含む対象センサ情報を収集するステップと、第１のシステムが、対象センサ情報から送信情報を生成するステップと、第１のシステムが、送信情報を、第２のシステムに送信するステップと、第２のシステムが、第１のシステムから送信情報を受信するステップと、第２のシステムが、送信情報から対象センサ情報に含まれる対象センサ種別を抽出するとともに、当該第２のシステムが保有するプログラムと、当該プログラムが生成する表示情報に対応する表示機器種別およびセンサ種別を対応づけた保有プログラム対応データにおいて、保有表示機器の表示機器種別および当該対象センサ種別に対応する対象プログラムを検索するステップと、第２のシステムが、対象プログラムがない場合、センタサーバから対象プログラムを取得するステップと、第２のシステムが、取得した対象プログラムを使用して、送信情報を表示情報に変換するステップと、第２のシステムが、変換された表示情報を、保有表示機器の表示機器に送信するステップとを備える。送信情報に複数の対象センサ種別が含まれている場合、対象プログラムは、保有プログラム対応データにおいて、保有表示機器の表示機器種別および当該複数の対象センサ種別に対応するプログラムであって、保有プログラム対応データにおいて、保有表示機器の表示機器種別および、送信情報に含まれる複数の対象センサ種別のうち対応不可なセンサ種別以外のセンサ種別に対応する対象プログラムである。
【００２０】
ここで、プログラムは、さらにセンサの設置場所および優先度のいずれかを含む在宅情報も考慮して表示情報を生成し、送信情報には、対象センサの在宅情報が含まれても良い。この場合第１のシステムが、在宅情報記憶手段から対象センサの在宅情報を抽出し、対象センサ情報と、抽出した在宅情報と、から送信情報を生成するステップをさらに備える。
【００２１】
また、第２のシステムが、保有表示機器の表示機器種別および対象センサ種別をセンタサーバに送信するステップと、センタサーバが、保有表示機器の表示機器種別および対象センサ種別に対応する対象プログラムを第２のシステムに送信するステップをさらに備えることが好ましい。
【発明の効果】
【００２４】
本発明によれば、センサを備える第１のシステムと、表示機器を備える第２のシステムを備え、センサの属性情報を表示機器に表示するプログラムを、第２のシステムに適切に配信する通信システムおよび通信方法を提供することができる。
【図面の簡単な説明】
【００２５】
【図１】本発明の実施の形態に係る通信システムのシステム構成を説明する図である。
【図２】本発明の実施の形態に係る通信システムに用いられる速度センサを説明する図である。
【図３】本発明の実施の形態に係る通信システムに用いられる温度センサを説明する図である。
【図４】本発明の実施の形態に係る通信システムに用いられるタッチセンサを説明する図である。
【図５】本発明の実施の形態に係る通信方法を説明するフローチャートである。
【図６】本発明の実施の形態に係るホームゲートウェイ装置およびセンタサーバを説明する図である。
【図７】本発明の実施の形態に係るプログラム対応データのデータ構造とデータの一例を説明する図である。
【図８】本発明の実施の形態に係るプログラムを説明する図である。
【図９】本発明の実施の形態に係るダウンロード前の保有プログラム対応データ記憶手段のデータを説明する図である。
【図１０】本発明の実施の形態に係る表示機器情報データのデータ構造とデータの一例を説明する図である。
【図１１】本発明の実施の形態に係るダウンロード後の保有プログラム対応データ記憶手段のデータを説明する図である。
【発明を実施するための形態】
【００２６】
次に、図面を参照して、本発明の実施の形態を説明する。以下の図面の記載において、同一または類似の部分には同一または類似の符号を付している。
【００２７】
本発明の実施の形態において「プログラム」とは、センサ情報から、表示情報を生成するためのプログラムを言う。
【００２８】
（通信システム）
図１に示すように、本発明の実施の形態に係る通信システム１０は、第１のユーザシステム１１、第２のユーザシステム２１およびセンタサーバ３を備える。第１のユーザシステム１１、第２のユーザシステム２１およびセンタサーバ３は、通信ネットワーク４によって相互に接続されている。本発明の実施の形態においては、第１のユーザシステム１１のセンサで感知した情報を、第２のユーザシステム２１に送信する。第２のユーザシステム２１において、受信した情報に基づいて、表示機器等に表示する。
【００２９】
第１のユーザシステム１１は、見守られるエンドユーザ宅１０に設けられる。第１のユーザシステム１１は、第１のセンサ１０１、第２のセンサ１０２、第３のセンサ１０３および第１のホームゲートウェイ装置１を備える。第１のセンサ１０１、第２のセンサ１０２および第３のセンサ１０３は、人の存在、動きまたは環境に関する情報を感知するセンサである。第１のセンサ１０１、第２のセンサ１０２および第３のセンサ１０３から取得された情報は、第１のホームゲートウェイ装置１によって収集される。第１のホームゲートウェイ装置１は、各センサから取得した情報から送信情報を生成し、通信ネットワーク４を介して、第２のユーザシステム２１に送信する。第１のユーザシステム１１は、さらに、センサの設置場所および優先度のいずれかを含む在宅情報を送信しても良い。
【００３０】
第２のユーザシステム２１は、見守るエンドユーザ宅２０に設けられる。第２のユーザシステム２１は、第１の表示機器２０１、第２の表示機器２０２、第３の表示機器２０３および第２のホームゲートウェイ装置２を備える。第１の表示機器２０１、第２の表示機器２０２および第３の表示機器２０３は、第１のユーザシステム１１から送信された人の存在、動きまたは環境に関する情報を表示する表示機器である。第２のホームゲートウェイ装置２は、第１のユーザシステム１１からセンサの情報を受信し、第１の表示機器２０１、第２の表示機器２０２、第３の表示機器２０３のいずれか一つ以上でセンサ情報を表示するための表示情報を生成して、各表示機器に送信する。表示情報の生成においては、センサ情報に含まれるセンサ種別および表示機器の種別に対応するプログラムが用いられる。このプログラムは、さらにセンサの設置場所および優先度のいずれかを含む在宅情報も考慮して表示情報を生成しても良い。
【００３１】
本発明の実施の形態においては、第１のホームゲートウェイ装置１がセンサ情報を送信し、第２のホームゲートウェイ装置２がセンサ情報に対応する表示情報を生成して、表示機器に表示させる場合について説明する。ここで、第１のホームゲートウェイ装置１が、第２のホームゲートウェイ装置２の有する各機能や表示機器を備えても良く、第２のホームゲートウェイ装置２が、第１のホームゲートウェイ装置１の有する各機能やセンサを備えても良い。具体的には、第２のホームゲートウェイ装置２にさらにセンサが接続され、センサ情報を第１のホームゲートウェイ装置１に送信し、第１のホームゲートウェイ装置１にさらに表示機器が接続され、センサ情報に対応する表示情報を生成して、表示機器に表示させても良い。
【００３２】
また、本発明の実施の形態においては、第１のホームゲートウェイ装置１および第２のホームゲートウェイ装置２等のホームゲートウェイ装置において、各機能が実現されている場合について説明するが、この場合には限られない。同様の機能を実現できるのであれば、ルータ、コンピュータなどのその他の情報機器によって実現されても良い。
【００３３】
（センサおよび表示機器）
第１のユーザシステム１１が備えるセンサと、第２のユーザシステム２１が備える表示機器は、様々な種類が考えられる。センサと表示機器は、センサの種別に応じて、表示する表示機器の種別が決定されても良い。ここで、図２ないし図４を参照して、センサの一例を説明する。
【００３４】
図２に示すセンサ１０１は、速度センサ１０１である。速度センサ１０２は、超音波センサ本体１０１ａ、超音波発信部１０１ｂ、超音波受信部１０１ｃおよび速度センサボード１０１ｄとを有する。温度センサボード１０１ｄは、一時記憶部１０１ｅ、演算部１１０ｆ、外部インタフェース１０１ｇおよびバス１０１ｈを備える。バス１０１ｈは、超音波センサ本体１０１ａ、一時記憶部１０１ｅ、演算部１０１ｆおよび外部インタフェース１０１ｇを接続する。
【００３５】
速度センサ１０２は、超音波発信部１０１ｂから超音波を前方に発信し、この発信された超音波は、前方に存在する物体で反射し、超音波受信部１０１ｃに入力する。このときに、発信から入力するまでの時間Ｔ０［ｓ］が計測され、この計測された時間が、演算部１０１ｆに送られる。演算部１０１ｆでは、音速Ｖ［ｍ／ｓ］と時間Ｔ０とから、物体までの距離Ｌ０［ｍ］を求める。この距離データＬ０［ｍ］は、一時記憶部１０１ｅに記憶される。前回の測定からＴ［ｓ］後、速度センサ１０１は、上記と同様の測定を行ない、物体までの距離Ｌ１［ｍ］を測定する。
【００３６】
次に、演算部１０１ｆは、先程、一時記憶部１０１ｅに格納した距離データＬ０と距離Ｌ１とに基づいて、物体の平均移動速度（Ｌ１−Ｌ０）／Ｔ［ｍ／ｓ］を求め、この求めた結果を、外部インタフェース１０１ｇを介して送信する。
【００３７】
図３に示すセンサ１０２は、温度センサ１０２である。温度センサ１０２は、赤外線ＣＣＤセンサ１０２ａ、一時記憶部１０２ｂ、演算部１０２ｃ、外部インタフェース１０２ｄおよびバス１０２ｅを備える。バス１０２ｅは、赤外線ＣＣＤセンサ１０２ａ、一時記憶部１０２ｂ、演算部１０２ｃおよび外部インタフェース１０２ｄを接続する。
【００３８】
赤外線ＣＣＤセンサ１０２ａを構成する各素子は、入射する赤外線量に応じた出力信号を、バス１０２ｅを介して、一時記憶部１０２ｂに記憶する。一定の時間が経過した後に、同様の測定を再び行ない、その出力も、一時記憶部１０２ｂに記憶する。演算部１０２ｃは、素子ごとに、上記２回の測定の差分を取り、温度変化の激しい部分が、所定の割合を超えた場合、外部インタフェース１０２ｄを通して、その変化量の合計値を送信する。これによって、人等の物体の移動を検出することができる。
【００３９】
図４に示すセンサ１０３は、タッチセンサ１０３である。タッチセンサ１０３は、電極１０３ａと、タッチセンサボード１０３ｂとを有する。タッチセンサボード１０３ｂは、電極検出部１０３ｃおよび外部インタフェース１０３ｄとを備える。電極１０３ａには、人の手が触れられる。
【００４０】
電極１０３ａには、一定の電圧が印加され、ここで、人の手が電極１０３ａに触れると、電極１０３ａの電位が変動し、電位検出部１０３ｃが、その電位変動を検出する。このときに、電位検出部１０２ｃは、外部インタフェース１０３ｄを介して、人が触れたという情報を送信する。
【００４１】
次に表示機器の一例を説明する。
【００４２】
表示機器は例えば、モータと、モータによって駆動される被駆動部材とを備える。表示機器は、第１のユーザシステム１１からセンサ情報として速度センサによる速度情報を受信すると、受信した速度情報の大きさに応じて、モータの回転速度を制御し、被駆動部材の揺れ方を変化させる。表示機器は、被駆動部材の揺れによって、第１のユーザシステム１１における人の動きを、第２のユーザシステム２１で表現する。
【００４３】
表示機器は例えば、複数のＬＥＤと、光ファイバと、光ファイバを駆動するモータとを備える。表示機器は、第１のユーザシステム１１からセンサ情報として速度センサによる速度情報を受信すると、速度情報の大きさに応じて、モータの回転速度を制御し、光ファイバの揺れ方を変化させる。さらに表示機器は、送信元であるユーザシステム１１のアドレス情報に応じて、ＬＥＤの光の強さまたは光り方を制御する。これにより表示機器は、第１のユーザシステム１１における人の動きを、第２のユーザシステム２１で表現することができる。
【００４４】
表示機器は例えば、スピーカである。第１のユーザシステム１１からセンサ情報としてタッチセンサによる接触情報を受信すると、表示機器は、予め設定された音を、スピーカから出力する。これにより表示機器は、第１のユーザシステム１１に設置されているタッチセンサへの接触状況を、第２のユーザシステム２１で表現することができる。
【００４５】
表示機器は例えば、表示装置を備えるコンピュータである。第１のユーザシステム１１からセンサ情報として速度センサによる速度情報やタッチセンサによる接触情報を受信すると、表示機器は、速度情報や接触情報に対応する動画を表示装置に表示する。例えば、速度情報において一定数値以上の速度の場合、キャラクターが早く動く動画を作成し、表示装置に表示することができる。またタッチセンサによる接触情報の頻度が高い場合に、多数のキャラクターが存在する動画を作成し、表示装置に表示することができる。
【００４６】
以上、センサおよび表示機器の一例を説明したが、これらに限られるものではない。また、複数のセンサ情報を組み合わせて表示情報を生成し、複数の表示機器で表示する場合も考えられる。
【００４７】
（処理の概要）
図５を参照して、本発明の実施の形態に係る通信システム１０の処理を説明する。
【００４８】
まずステップＳ１０１において、第１のホームゲートウェイ装置１において、各センサからセンサ情報を取得し、在宅情報と関連づけ、送信情報を生成する。ここで「センサ情報」は、センサ種別と、そのセンサが示した数値とを関連づけた情報である。「在宅情報」は、センサの設置場所や、各センサの優先度などであって、見守られるユーザ宅１０内に設置されたセンサの情報である。第１のホームゲートウェイ装置１は、第１のホームゲートウェイ装置１に接続されたセンサからセンサ情報を取得する。ここで、第１のホームゲートウェイ装置１は、全てのセンサからセンサ情報を取得し反応したセンサ情報を取得しても良いし、反応したセンサのセンサ情報のみを取得しても良い。
【００４９】
ステップＳ１０２において第１のホームゲートウェイ装置１は、ステップＳ１０１で生成した送信情報を、通信ネットワーク４を介して第２のホームゲートウェイ装置２に送信する。
【００５０】
ステップＳ１０３において第２のホームゲートウェイ装置２が送信情報を受信すると、ステップＳ１０４において、第２のホームゲートウェイ装置２は、第２のホームゲートウェイ装置２内に、この送信情報を表示情報に変換できるプログラムがあるか否かを判定する。本発明の実施の形態においては、送信情報に含まれたセンサ情報のセンサ種別および、第２のユーザシステム２１が備える表示機器の表示機器種別ごとに、このプログラムが設けられている。第２のホームゲートウェイ装置２は、送信情報に含まれたセンサのセンサ種別と、第２のユーザシステム２１が備える表示機器の表示機器種別と、それに対応するプログラムとを関連づけた保有プログラム対応データ２１２ａを検索し、第２のホームゲートウェイ装置２にプログラムがあるか否かを判定する。
【００５１】
ステップＳ１０４においてプログラムがあると判定された場合、ステップＳ１０８に進む。一方、プログラムがないと判定された場合、ステップＳ１０５に進む。プログラムがない場合とは例えば、見守られるエンドユーザ宅１０に新たなセンサが接続され、第２のホームゲートウェイ装置２が、新たに接続されたセンサ情報から表示機器に表示するための表示情報を生成するプログラムを保有していない場合である。
【００５２】
ステップＳ１０５において第２のホームゲートウェイ装置２は、プログラムがないことを、センタサーバ３に通知する。このとき第２のホームゲートウェイ装置２は、送信情報に含まれたセンサのセンサ種別と、第２のユーザシステム２１が備える表示機器の表示機器種別とを、センタサーバ３に送信する。
【００５３】
第２のホームゲートウェイ装置２からプログラムがない旨の通知を受けると、ステップＳ１０６においてセンタサーバ３は、センタサーバ３に記憶されているプログラムのうち、送信情報に含まれたセンサのセンサ種別と、第２のユーザシステム２１が備える表示機器の表示機器種別とに対応するプログラムを抽出する。さらにセンタサーバ３は、抽出したプログラムを第２のホームゲートウェイ装置２にダウンロードさせるための準備をする。ここで例えば、ダウンロードさせるためのＵＲＬ等を、第２のホームゲートウェイ装置２に送信しても良い。
【００５４】
ここで第２のホームゲートウェイ装置２からセンタサーバ３へ、プログラムのダウンロード要求が送信されると、センタサーバ３は、ステップＳ１０６で準備したプログラムを、第２のホームゲートウェイ装置２にダウンロードさせる。このとき第２のホームゲートウェイ装置２は、ダウンロードしたプログラムと、センサ種別および表示機器種別とを関連づけるレコードもダウンロードし、保有プログラム対応データ２１２ａに挿入する。
【００５５】
ステップＳ１０８において第２のホームゲートウェイ装置２は、送信情報に含まれたセンサのセンサ種別と、第２のユーザシステム２１が備える表示機器の表示機器種別と、に対応するプログラムを読み出し、センサ種別および表示機器種別と関連づける。ステップＳ１０９において第２のホームゲートウェイ装置２は、ステップＳ１０８において関連づけられた情報に基づいて、プログラムを用いて送信情報から表示情報を生成する。さらにステップＳ１１０において第２のホームゲートウェイ装置２は、ステップＳ１０９で生成した表示情報を、各表示機器に送信する。
【００５６】
（センタサーバ）
図６を参照して、本発明の実施の形態に係るセンタサーバ３を説明する。センタサーバ３は、中央処理制御装置、記憶装置等を備える一般的なコンピュータに、所定の処理を実行するプログラムがインストールされることにより実現される。
【００５７】
センタサーバ３は、プログラム対応データ記憶手段３０１、プログラム記憶手段３０２および表示機器情報記憶手段３０３を備える。
【００５８】
プログラム対応データ記憶手段３０１は、ハードディスク等の記憶装置で実現され、プログラム対応データ３０１ａを記憶する手段である。プログラム対応データ３０１ａは、本発明の実施の形態に係る通信システム１０で用いられる、センサ情報から表示情報を生成するための全てのプログラムについて、そのプログラムに入力されるセンサ情報のセンサ種別と、そのプログラムが出力する表示情報の表示機器種別が対応づけられている。
【００５９】
プログラム対応データ３０１ａは、例えば図７に示すようなデータ構造およびデータを備える。図７においては、表示機器種別およびセンサ種別に、プログラム識別子が関連づけられている。表示機器種別とプログラム識別子は１対１で対応し、一つのプログラムから、一つの表示機器に表示するための表示する表示情報が生成されることを示している。また、センサ種別とプログラム識別子は多対１で対応し、複数のセンサのセンサ情報を一つのプログラムに入力して表示情報を生成することを示している。
【００６０】
プログラムデータ記憶手段３０２は、ハードディスク等の記憶装置で実現され、プログラム識別子に対応して、各プログラムデータを記憶する手段である。プログラムデータ記憶手段３０２に記憶される各プログラムデータは、表示機器の表示機器種別およびセンサのセンサ種別ごとに、表示機器に表示するための表示情報を、センサが感知した属性情報から生成するためのプログラムである。
【００６１】
表示機器情報記憶手段３０３は、ハードディスク等の記憶装置で実現され、表示機器情報データ３０３ａを記憶する手段である。表示機器情報データ３０３ａは、表示機器の表示器機種別と、その表示機器で表示可能なセンサ種別と、その表示機器で表示不可能なセンサ種別とを関連づけたデータである。
【００６２】
センタサーバ３は、第２のホームゲートウェイ装置２から、プログラムダウンロードのリクエストを受信する。このリクエストには、ユーザシステム２１に備えられた表示機器の種別である保有表示機器種別および対象センサ種別が含まれている。センタサーバ３は、記憶装置からプログラム対応データ３０１ａを読み出し、リクエストに含まれた保有表示機器種別および対象センサ種別に対応するプログラム識別子を抽出する。さらにセンタサーバ３は、プログラムデータ記憶手段３０２に記憶された各プログラムのうち、抽出したプログラム識別子に対応するプログラムを抽出する。抽出されたプログラムは、第２のホームゲートウェイ装置２にダウンロードされる。
【００６３】
センタサーバ３がダウンロードさせるプログラムは、表示機器情報データ３０３ａにおいて、保有表示機器種別および、送信情報に含まれる複数の対象センサ種別のうち対応不可なセンサ種別以外のセンサ種別に対応するプログラムである。例えば、表示機器情報データ３０３ａにおいて、表示機器種別Ｄ２０２に対応不可センサ種別Ｓ１０１が対応づけられている場合、センタサーバ３は、保有表示機器種別Ｄ２０２および対象センサ種別Ｓ１０１を受信しても、これに対応するプログラムをダウンロードさせることはない。
【００６４】
ここで、図８を参照して、本発明の実施の形態に係るプログラムを説明する。図８には、コンピュータの表示画面に表示する表示情報を作成するための、第１のプログラムないし第４のプログラムが記載されている。第１のプログラムにおいては、コンピュータの表示画面に表示する際のキャラクターなどの対象物の大きさ、数、色、形、スピード等の各パラメータを、センサ情報の属性情報や在宅情報に基づいて決定する。例えば、優先度の高いセンサによる情報を表示する場合、対象物は大きく、優先度の低いセンサによる情報を表示する場合、対象物は小さい。また、対象物の数は、センサ機器種別の反応数に対応する。対象物の色は、設置場所によって色わけされている。対象物の形は、例えば第２のユーザシステム２１のユーザによって指定されたものや、予めプログラムで指定されたものである。対象物の動くスピードは、センサ反応時間の間隔によって決定される。
【００６５】
このように、本発明の実施の形態に係るプログラムは、第１のユーザシステム１１から送信される送信情報に基づいて、第２のユーザシステム２１の表示機器の表示情報を生成することができる。
【００６６】
センタサーバ３には、センサ種別および表示機器の組み合わせに対応するプログラムが記憶されている。センタサーバ３は、第２のユーザシステム２１等の各ユーザシステムからのリクエストに応じて、各ユーザシステムが必要なプログラムを、そのユーザシステムに配信またはダウンロードする。
【００６７】
（第１のホームゲートウェイ装置）
図６を参照して、本発明の実施の形態に係る第１のホームゲートウェイ装置１を説明する。第１のホームゲートウェイ装置１は、見守られるエンドユーザ宅１０の第１のユーザシステム１１に備えられる。第１のホームゲートウェイ装置１は、第１のセンサ１０１、第２のセンサ１０２および第３のセンサ１０３に接続されている。第１のホームゲートウェイ装置１は、センサ情報収集手段１１１、在宅情報記憶手段１１２、送信情報生成手段１１３、情報蓄積手段１１４および情報送信手段１１５を備える。
【００６８】
センサ情報収集手段１１１は、対象センサの対象センサ種別と、対象センサの属性情報とを含む対象センサ情報を収集する。ここで、対象センサとは、センサ１０１、１０２、１０３のうち反応したセンサである。反応したセンサには、ある一定の閾値以上の数値を示したセンサ等も含まれる。対象センサの属性情報とは、センサの出力する数値である。例えば、速度センサの場合、属性情報は速度情報である。温度センサの場合、属性情報は温度情報である。センサ情報収集手段１１１は、第１のセンサ１０１、第２のセンサ１０２および第３のセンサ１０３から、対象センサの対象センサ種別と、その属性情報とを対応づけて収集し、送信情報生成手段１１３に入力する。
【００６９】
在宅情報記憶手段１１２は、ハードディスク等の記憶装置で実現され、在宅情報を記憶する手段である。在宅情報とは、センサの設置場所や、各センサの優先度などであって、見守られるユーザ宅１０内に設置されたセンサの情報である。予め、見守られるユーザ宅内１０のユーザ等により、センサのセンサ種別、設置場所、優先度などが入力され、在宅情報として、在宅情報記憶手段１１２に記憶される。
【００７０】
送信情報生成手段１１３は、対象センサ情報から送信情報を生成する。送信情報生成手段１１３はさらに、在宅情報記憶手段１１２から対象センサの在宅情報を抽出し、対象センサ情報と、抽出した在宅情報と、から送信情報を生成しても良い。送信情報は、対象センサ情報と、必要に応じて在宅情報とを含む。送信情報生成手段１１３は、生成した送信情報を情報蓄積手段１１４に送信する。
【００７１】
情報蓄積手段１１４は、ハードディスク等の記憶装置で実現され、送信情報生成手段１１３から入力された送信情報を記憶する手段である。情報蓄積手段１１４に記憶された送信情報は、情報送信手段１１５によって取得される。
【００７２】
情報送信手段１１５は、情報蓄積手段１１４から送信情報を取得し、通信ネットワーク４を介して第２のホームゲートウェイ装置２に送信する。
【００７３】
（第２のホームゲートウェイ装置）
図６を参照して、本発明の実施の形態に係る第２のホームゲートウェイ装置２を説明する。第２のホームゲートウェイ装置２は、見守るエンドユーザ宅２０の第２のユーザシステム２１に備えられる。第２のホームゲートウェイ装置２は、第１の表示機器２０１、第２の表示機器２０２および第３の表示機器２０３に接続されている。第２のホームゲートウェイ装置２は、情報送受信手段２１１、保有プログラム対応データ記憶手段２１２、保有プログラム記憶手段２１３、送信情報分割手段２１４、送信情報結合手段２１５、送信情報変換手段２１６、表示情報送信手段２１７および表示機器情報記憶手段２１８を備える。
【００７４】
保有プログラム対応データ記憶手段２１２は、ハードディスク等の記憶装置で実現され、保有プログラム対応データを記憶する手段である。保有プログラム対応データは、第２のユーザシステム２１の第２のホームゲートウェイ装置２が保有するプログラムの識別子と、プログラムが生成する表示情報に対応する表示機器種別およびセンサ種別と、を対応づけている。保有プログラム対応データ記憶手段２１２には、センタサーバ３が備えるプログラム対応データ３０１ａに記憶された各プログラムのレコードのうち、第２のホームゲートウェイ装置２が保有するプログラムのレコードが記憶されている。
【００７５】
保有プログラム対応データは、例えば図９のようなデータ構造とデータを備える。図９に示す例において保有プログラム対応データは、表示機器およびセンサごとにプログラムと対応づけられている。保有プログラム対応データ２１２ａは、第１の表示機器２０１についての保有プログラム対応データであって、保有プログラム対応データ２１２ｂは、第２の表示機器２０２についての保有プログラム対応データであって、保有プログラム対応データ２１２ｃは、第３の表示機器２０３についての保有プログラム対応データである。
【００７６】
図９の保有プログラム対応データ２１２ａに示す例では、第１の表示機器２０１に表示する表示情報を生成するためのプログラムＰ１１ないしＰ１６が関連づけられている。プログラムＰ１１は、第１のセンサ１０１のセンサ情報から、第１の表示機器２０１に表示する表示情報を生成するためのプログラムである。プログラムＰ１２は、第２のセンサ１０２のセンサ情報から、第１の表示機器２０１に表示する表示情報を生成するためのプログラムである。プログラムＰ１３は、第３のセンサ１０３のセンサ情報から、第１の表示機器２０１に表示する表示情報を生成するためのプログラムである。プログラムＰ１４は、第１のセンサ１０１のセンサ情報および第２のセンサ１０２のセンサ情報から、第１の表示機器２０１に表示する表示情報を生成するためのプログラムである。プログラムＰ１５は、第１のセンサ１０１のセンサ情報および第３のセンサ１０３のセンサ情報から、第１の表示機器２０１に表示する表示情報を生成するためのプログラムである。プログラムＰ１６は、第２のセンサ１０２のセンサ情報および第３のセンサ１０３のセンサ情報から、第１の表示機器２０１に表示する表示情報を生成するためのプログラムである。
【００７７】
なお、第２のホームゲートウェイ装置２が、第１のセンサ１０１のセンサ情報、第２のセンサ１０２のセンサ情報および第３のセンサ１０３のセンサ情報から、第１の表示機器２０１に表示する表示情報を生成するためのプログラム（図７に示すプログラムＰ１７に対応）を保有していない場合、図９に示す保有プログラム対応データ２１２ａにおいて、このプログラムの情報は関連づけられていない。
【００７８】
図９の保有プログラム対応データ２１２ｂに示す例では、第２の表示機器２０２に表示する表示情報を生成するためのプログラムＰ２１およびＰ２２が関連づけられている。
【００７９】
なお、第２のホームゲートウェイ装置２が、第２のセンサ１０２のセンサ情報および第３のセンサ１０３のセンサ情報から、第２の表示機器２０２に表示する表示情報を生成するためのプログラム（図７に示すプログラムＰ２３に対応）を保有していない場合、図９に示す保有プログラム対応データ２１２ｂにおいて、このプログラムの情報は関連づけられていない。また本発明の実施の形態において第２の表示機器２０２は、第１のセンサ１０１のセンサ情報を表示することはできない。従って、保有プログラム対応データ２１２ｂにおいて、第１のセンサ２０１のセンサ情報から、第２の表示機器２０２に表示する表示情報を生成するためのプログラムが関連づけられることはない。
【００８０】
図９の保有プログラム対応データ２１２ｃに示す例では、第３の表示機器２０３に表示する表示情報を生成するためのプログラムＰ３１およびＰ３２が関連づけられている。
【００８１】
なお、第２のホームゲートウェイ装置２が、第１のセンサ１０１のセンサ情報および第２のセンサ１０２のセンサ情報から、第３の表示機器２０３に表示する表示情報を生成するためのプログラム（図７に示すプログラムＰ３３に対応）を保有していない場合、図９に示す保有プログラム対応データ２１２ｃにおいて、このプログラムの情報は関連づけられていない。また本発明の実施の形態において第３の表示機器２０３は、第３のセンサ１０３のセンサ情報を表示することはできない。従って、保有プログラム対応データ２１２ｃにおいて、第３のセンサ１０３のセンサ情報から、第３の表示機器２０３に表示する表示情報を生成するためのプログラムが関連づけられることはない。
【００８２】
保有プログラム記憶手段２１３は、ハードディスク等の記憶装置で実現され、第２のホームゲートウェイ装置２が保有しているプログラムを、プログラム識別子に対応して記憶する手段である。保有プログラム記憶手段２１３に記憶された各プログラムの用途については、保有プログラム対応データ記憶手段２１２において対応づけられている。保有プログラム記憶手段２１３には、センタサーバ３が備えるプログラム記憶手段３０２に記憶された各プログラムのうち、第２のホームゲートウェイ装置２が保有するプログラムが記憶されている。
【００８３】
表示機器情報記憶手段２１８は、ハードディスク等の記憶装置で実現され、表示機器情報データ２１８ａを記憶する手段である。表示機器情報データ２１８ａは、第２のユーザシステム２１が保有している表示機器の種別である保有表示機器種別と、保有表示機器が対応不可なセンサ種別とが対応づけられたデータである。表示機器情報データ２１８ａは、第２のホームゲートウェイ装置２が第１のホームゲートウェイ装置１から送信情報を受信した際、送信情報のセンサ情報を表示情報に変換するためのプログラムを保有しているか否かを判別する際に用いられる。本発明の実施の形態において、表示機器情報データ２１８ａにおいて、第２のユーザシステム２１が保有している表示機器について、送信情報に含まれるセンサ種別のうち、対応不可センサ種別以外の対応可能センサ種別に対応するプログラムを、第２のホームゲートウェイ装置２が保有していることを要する。
【００８４】
表示機器情報データ２１８ａは、図１０に示すようなデータ構造およびデータを備える。表示機器情報データ２１８ａにおいて、表示機器種別に、その付属情報、対応可能センサ種別および対応不可センサ種別が対応づけられている。本発明の実施の形態において表示機器種別Ｄ２０１、Ｄ２０２およびＤ２０３は、それぞれ第１の表示機器２０１、第２の表示機器２０２および第３の表示機器２０３に対応する。付属情報とは、その表示機器の出力方法である。例えば付属情報の「表示画面」は、表示機器がコンピュータの表示画面で出力することを示す。対応可能センサ種別および対応不可センサ種別におけるセンサ種別Ｓ１０１、Ｓ１０２およびＳ１０３は、それぞれ第１のセンサ１０１、第２のセンサ１０２および第３のセンサ１０３に対応する。
【００８５】
図１０に示す例においては、第１の表示機器２０１は、第１のセンサ１０１、第２のセンサ１０２および第３のセンサ１０３の全てのセンサ情報に基づいて表示することができることを示す。第２の表示機器２０２は、第２のセンサ１０２および第３のセンサ１０３のセンサ情報に基づいて表示することができるが、第１のセンサ１０１に基づいて表示することができないことを示す。第３の表示機器２０３は、第１のセンサ１０１および第３のセンサ１０３のセンサ情報に基づいて表示することができるが、第２のセンサ１０２に基づいて表示することができないことを示す。
【００８６】
情報送受信手段２１１は、第１のユーザシステム１１から送信情報を受信し、送信情報を、送信情報分割手段２１４に入力する。さらに情報送受信手段２１１は、送信情報を表示情報に変換するプログラムがない場合、センタサーバ３からプログラムをダウンロードする。センタサーバ３からプログラムをダウンロードする際、情報送受信手段２１１は、送受信分割手段２１４の対象プログラム検索結果に基づいて、保有表示機器種別および対象センサ種別をセンタサーバ３に送信するとともに、センタサーバ３から、その保有表示機器種別および対象センサ種別に対応するプログラムをダウンロードする。情報送受信手段２１１は、ダウンロードしたプログラムを、送信情報分割手段２１４に入力する。情報送受信手段２１１は、さらに、ダウンロードしたプログラムと、センサ種別および表示機器種別とを関連づけるレコードもダウンロードし、プログラム対応データ３０１ａに挿入する。
【００８７】
送信情報分割手段２１４は、送信情報から対象センサ情報に含まれる対象センサ種別を抽出するとともに、保有プログラム対応データ２１２ａにおいて、保有表示機器種別および対象センサ種別に対応する対象プログラムを検索し、対象プログラムがない場合、センタサーバ３から情報送受信手段２１１を介して、対象プログラムを取得する。また、送信情報分割手段２１４は、保有プログラム対応データ２１２ａにおいて、保有表示機器種別および、送信情報に含まれる複数の対象センサ種別のうち対応不可なセンサ種別以外のセンサ種別に対応する対象プログラムを検索する。送信情報分割手段２１４は、送信情報分割手段２１４に入力された送信情報および対象プログラムを、送信情報結合手段２１５に入力する。
【００８８】
例えば、送信情報に、第１のセンサ１０１のセンサ情報、第２のセンサ１０２のセンサ情報および第３のセンサ１０３のセンサ情報が含まれ、第２のホームゲートウェイ装置２に第１の表示機器２０１、第２の表示機器２０２および第３の表示機器２０３が接続されているとする。ここで送信情報分割手段２１４は、保有プログラム対応データ２１２ａにおいて、各表示機器の表示機器種別と、送信情報に含まれるセンサ種別の全てのセンサ種別とが関連づけられたプログラムが存在するか否かを検索する。ここで、表示機器情報データ２１８ａにおいて各表示機器種別に対応づけられた対応不可センサ種別については、考慮されない。
【００８９】
従って、送信情報分割手段２１４は、保有プログラム対応データ２１２ａにおいて、第１の表示機器の表示機器種別と、第１のセンサのセンサ種別、第２のセンサのセンサ種別および第３のセンサのセンサ種別とが関連づけられたプログラム（図７に示すプログラムＰ１７に対応）、第２の表示機器の表示機器種別と、第２のセンサのセンサ種別および第３のセンサのセンサ種別とが関連づけられたプログラム（図７に示すプログラムＰ２３に対応）、第３の表示機器の表示機器種別と、第１のセンサのセンサ種別および第２のセンサのセンサ種別とが関連づけられたプログラム（図７に示すプログラムＰ３３に対応）が関連づけられているかを検索する。
【００９０】
ここで、表示機器情報データ２１８ａにおいて、表示機器種別Ｄ２０２の第２の表示機器２０２は、センサ種別Ｓ１０１の第１のセンサ１０１に対応することはできないので、第２の表示機器の表示機器種別と、第１のセンサのセンサ種別、第２のセンサのセンサ種別および第３のセンサのセンサ種別とが関連づけられたプログラムを検索する必要はない。同様に、表示機器情報データ２１８ａにおいて、表示機器種別Ｄ２０３の第３の表示機器２０３は、センサ種別Ｓ１０３の第３のセンサ１０３に対応することはできないので、第３の表示機器の表示機器種別と、第１のセンサのセンサ種別、第２のセンサのセンサ種別および第３のセンサのセンサ種別とが関連づけられたプログラムを検索する必要はない。このように、送信情報分割手段２１４は、送信情報に含まれる全てのセンサ情報を表示機器に表示する表示情報を作成するプログラムを検索する際、各表示機器ごとに対応不可センサ種別を考慮して、プログラムを検索する。
【００９１】
従って、送信情報分割手段２１４は、情報送受信手段２１１を介してセンタサーバ３に、保有表示機器種別Ｄ２０１、Ｄ２０２およびＤ２０３と、送信情報に含まれる対象センサ種別Ｓ１０１、Ｓ１０２およびＳ１０３を送信する。さらに送信情報分割手段２１４は、情報送受信手段２１１を介してセンタサーバから、対象プログラムとして、プログラム識別子Ｐ１７、Ｐ２３およびＰ３３に対応するプログラムデータを受信し、送信情報結合手段２１５に入力する。
【００９２】
送信情報結合手段２１５は、送信情報分割手段２１４から入力された送信情報と対象プログラムとを組み合わせて、送信情報変換手段２１６に入力する。
【００９３】
送信情報変換手段２１６は、送信情報分割手段２１４を介して送信情報結合手段２１５から取得した対象プログラムを使用して、送信情報を表示情報に変換する。このとき、送信情報に含まれる各センサのセンサ情報と、在宅情報と、に基づいて、送信情報変換手段２１６は、各表示機器ごとに表示情報を生成する。例えば図８に示す例によれば、送信情報変換手段２１６は、センサの優先度、センサの反応数、センサ反応時間の間隔などの情報を送信情報から生成し、優先度、反応数、反応時間の間隔などの情報を、プログラムに入力することで、例えば表示画面に表示する対象物の大きさ、数、色、形、スピード等を決定し、表示情報を生成する。
【００９４】
表示情報送信手段２１７は、送信情報変換手段２１６によって変換された表示情報を、保有表示機器２０１、２０２よび２０３に送信する。表示情報は表示機器ごとに生成されているので、表示情報送信手段２１７は、表示機器に、その表示機器で表示するための表示情報をそれぞれ送信する。
【００９５】
各表示機器２０１、２０２および２０３は、第２のホームゲートウェイ装置２の表示情報送信手段２１７から表示情報を受信すると、その表示情報に基づいて表示する。
【００９６】
このように本発明の実施の形態に係る通信システム１０において、見守られるエンドユーザ宅１０においてセンサが増え、第２のホームゲートウェイ装置２においてそのセンサ情報を表示機器に変換するプログラムがない場合でも、センタサーバ３からそのプログラムをダウンロードすることができる。これにより、見守るエンドユーザ宅２０の状況に考慮することなく見守られるエンドユーザ宅１０においてセンサの増設をすることができる。
【００９７】
このときホームゲートウェイ装置２において必要なプログラムやその情報のみを、センタサーバ３からダウンロードすることができる。従ってホームゲートウェイ装置２において、データ送信のトラフィック量や、プログラム等の記憶容量を抑制することができる。
【００９８】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００９９】
例えば、本発明の実施の形態に記載したホームゲートウェイ装置は、図６に示すように一つのハードウェア上に構成されても良いし、その機能や処理数に応じて複数のハードウェア上に構成されても良い。また、既存のユーザシステム上に実現されても良い。
【０１００】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１０１】
１、２  ホームゲートウェイ装置
３  センタサーバ
４  通信ネットワーク
１０  見守るエンドユーザ宅
１１、２１  ユーザシステム
２０  見守られるエンドユーザ宅
１０１、１０２、１０３  センサ
１１１  センサ情報収集手段
１１２  在宅情報記憶手段
１１３  送信情報生成手段
１１４  情報蓄積手段
１１５  情報送信手段
２０１、２０２、２０３  表示機器
２１１  情報送受信手段
２１２  保有プログラム対応データ記憶手段
２１３  保有プログラム記憶手段
２１４  送信情報分割手段
２１５  送信情報結合手段
２１６  送信情報変換手段
２１７  表示情報送信手段
２１８  表示機器情報記憶手段
３０１  プログラム記憶手段
３０２  プログラム対応データ記憶手段
【図１】
0005439091.tif 000002
【図２】
0005439091.tif 000003
【図３】
0005439091.tif 000004
【図４】
0005439091.tif 000005
【図５】
0005439091.tif 000006
【図６】
0005439091.tif 000007
【図７】
0005439091.tif 000008
【図８】
0005439091.tif 000009
【図９】
0005439091.tif 000010
【図１０】
0005439091.tif 000011
【図１１】
0005439091.tif 000012